(57)【要約】【課題】Ｆコード通信を利用したファクシミリ機能を備える画像処理装置において省エネルギーモードからの復帰を迅速に行う。【解決手段】画像処理装置１は、第１クライアントＰＣ５１とネットワークを介して接続された画像処理装置である。画像処理装置１が省エネルギーモードで動作中にＦコードを含む通信手順信号を利用して画像データを受信した場合、ファクシミリ通信部１９は通信手順信号の一つであるＳＵＢ信号からＦコードとしてのサブアドレスを抽出する。ネットワーク制御部２５１は、Ｆコードテーブル１７１を参照して抽出したＦコードに対応付けられた第１クライアントＰＣ５１に画像データの受信を通知する。画像データの受信を通知に応じて第１クライアントＰＣ５１から画像データの出力の指示が通知されたＣＰＵ１１は、画像処理装置１を省エネルギーモードから通常モードに変更させる。【選択図】図１
2012147241.tif 000002
【特許請求の範囲】
【請求項１】
クライアント端末とネットワークを介して接続された画像処理装置であって、
公衆回線網を介してＦコードを含む所定の通信手順信号を利用して画像データを受信し、前記通信手順信号から前記Ｆコードを抽出するファクシミリ通信部と、
前記Ｆコードと前記クライアント端末とを対応付けたＦコードテーブルを格納しているテーブル記憶部と、
前記画像データを格納する画像データ記憶部と、
前記ファクシミリ通信部によって抽出されたＦコードに対応するクライアント端末を前記Ｆコードテーブルに基づいて特定し、特定したクライアント端末に前記画像データの受信を通知するネットワーク制御部と、
前記画像データの受信を通知した後に前記クライアント端末から前記画像データの出力の指示を受け付ければ、省エネルギーモードを通常モードに変更する制御部と、
を備える画像処理装置。
【請求項２】
表示部をさらに備え、
前記制御部は、前記省エネルギーモードを前記通常モードに変更した後に、前記画像データを前記画像データ記憶部から出力させるためのパスワードを受け付けるログイン画面を前記表示部に表示させる、請求項１に記載の画像処理装置。
【請求項３】
クライアント端末と、前記クライアント端末とネットワークを介して接続された画像処理装置と、を備える画像処理システムの制御方法であって、
前記画像処理装置が、公衆回線網を介してＦコードを含む所定の通信手順信号を利用して画像データを受信するステップと、
前記画像処理装置が、受信した画像データを画像データ記憶部に格納するステップと、
前記画像処理装置が、前記通信手順信号から前記Ｆコードを抽出するステップと、
前記画像処理装置が、Ｆコードテーブルを参照して、抽出したＦコードと対応するクライアント端末を特定するステップと、
前記画像処理装置が、特定されたクライアント端末に前記画像データの受信を示す受信メッセージを通知するステップと、
前記クライアント端末が、受信した受信メッセージを報知するステップと、
前記クライアント端末が、前記受信メッセージによって通知された前記画像データの出力の指示を受け付けるステップと、
前記クライアント端末が、前記画像データの出力の指示を受け付ければ、前記画像データの出力の指示を前記画像処理装置に通知するステップと、
前記画像処理装置が、前記クライアント端末から前記画像データの出力の指示を受け付ければ、省エネルギーモードから通常モードに移行するステップと、
を備える画像処理システムの制御方法。
【請求項４】
前記画像処理装置が、移行ステップ後に、前記画像データを前記画像データ記憶部から出力させるためのパスワードを受け付けるログイン画面を表示させるステップをさらに備える、請求項３に記載の画像処理システムの制御方法。
【発明の詳細な説明】
【技術分野】
【０００１】
ＩＴＵ（国際電気通信連合）−Ｔ勧告Ｔ．３０で規定されたファクシミリ手順信号を利用してファクシミリ通信する画像処理装置及び画像処理装置を備える画像処理システムの制御方法に関する。
【背景技術】
【０００２】
近年、スキャナ機能、プリンタ機能、コピー機能及びファクシミリ機能を備えた複合機において、国際電気通信連合（ＩＴＵ）−Ｔ勧告Ｔ．３０で規定されたサブアドレス（ＳＵＢ）及びパスワード（ＰＷＤ）等を含む、いわゆるＦコードを利用したファクシミリ機能が具現されている。この規格ではサブアドレスやパスワードの使用方法が統一されており、Ｆコード対応のファクシミリ装置同士では、中継同報送信や親展通信等が行えるようになっている。
【０００３】
このような複合機では、Ｆコード及び親展文書等の画像データをファクシミリ受信した場合、Ｆコードに対応付けられたクライアント端末へ、画像データを受信したことを示す電子メールが送信される（例えば、特許文献１参照）。電子メールによって受信の通知を受けたクライアント端末のユーザは、複合機本体まで出向いてパスワードの入力を行う。そして、パスワードが認証された場合には、画像データの出力が許可され、ユーザは画像データを印刷できる。
【先行技術文献】
【特許文献】
【０００４】
【特許文献１】特開２００５−０４５２９４号公報
【発明の概要】
【発明が解決しようとする課題】
【０００５】
上記の複合機において、省エネルギーモードで動作しているときにＦコード機能を利用したファクシミリ受信が行われる場合がある。このような場合、従来は電子メールによって画像データの受信の通知を受けたユーザは、複合機本体まで出向き、複合機を省エネルギーモードから待機モードに復帰させていた。しかし、省エネルギーモードから待機モードに復帰するまでには時間がかかるため、その間ユーザは待たされることになり、時間の無駄が生じていた。
【０００６】
本発明の課題は、Ｆコードを利用したファクシミリ機能を備える画像処理装置において省エネルギーモードからの復帰を迅速に行うことにある。
【課題を解決するための手段】
【０００７】
以下に、課題を解決するための手段として複数の態様を説明する。これら態様は、必要に応じて任意に組み合せることができる。
【０００８】
本発明の一見地に係る画像処理装置は、クライアント端末とネットワークを介して接続された画像処理装置である。画像処理装置は、ファクシミリ通信部と、テーブル記憶部と、画像データ記憶部と、ネットワーク制御部と、制御部と、を備える。
ファクシミリ通信部は、公衆回線網を介してＦコードを含む所定の通信手順信号を利用して画像データを受信し、通信手順信号からＦコードを抽出する。テーブル記憶部は、Ｆコードとクライアント端末とを対応付けたＦコードテーブルを格納している。画像データ記憶部は、画像データを格納する。ネットワーク制御部は、ファクシミリ通信部によって抽出されたＦコードに対応するクライアント端末をＦコードテーブルに基づいて特定し、特定したクライアント端末に画像データの受信を通知する。制御部は、画像データの受信を通知した後にクライアント端末から画像データの出力の指示を受け付ければ、省エネルギーモードを通常モードに変更する。
【０００９】
ここでは、ネットワーク制御部は、ファクシミリ通信部が通信手順信号からＦコードを抽出した場合、Ｆコードテーブルに基づきＦコードに対応付けられたクライアント端末を特定し、特定したクライアント端末に画像データの受信を通知する。また、画像データの受信を通知に応じてクライアント端末から画像データの出力の指示を受け付けた場合、制御部は省エネルギーモードを通常モードへと変更させる。
従って、クライアント端末のユーザが画像処理装置に出向いた際には、画像処理装置は省エネルギーモードから復帰しているので、ユーザを待たせることなく画像処理装置はユーザから操作の指示を受け付けることができる。
【００１０】
画像処理装置は、表示部をさらに備えていてもよい。ここで制御部は、省エネルギーモードを通常モードに変更した後に、画像データを画像データ記憶部から出力させるためのパスワードを受け付けるログイン画面を表示部に表示させてもよい。
ここでは、表示部には「ログイン画面」が表示されるので、画像処理装置に出向いたクライアント端末のユーザは、直ちに「ログイン画面」を介してログイン操作を行えるので、利便性が向上される。
【００１１】
本発明の他の見地に係る画像処理システムにおける制御方法は、クライアント端末と、クライアント端末とネットワークを介して接続された画像処理装置とを備える画像処理システムにおける制御方法である。
画像処理装置は、公衆回線網を介してＦコードを含む所定の通信手順信号を利用して画像データを受信するステップと、受信した画像データを画像データ記憶部に格納するステップと、通信手順信号からＦコードを抽出するステップと、を備える。さらに画像処理装置は、Ｆコードテーブルを参照して抽出したＦコードと対応するクライアント端末を特定するステップと、特定されたクライアント端末に画像データの受信を示す受信メッセージを通知するステップと、を備える。クライアント端末は、受信した受信メッセージを報知するステップと、受信メッセージによって通知された画像データの出力の指示を受け付けるステップと、画像データの出力の指示を受け付ければ画像データの出力の指示を画像処理装置に通知するステップと、を有する。ここで、画像処理装置は、クライアント端末から画像データの出力の指示を受け付ければ、省エネルギーモードから通常モードに移行するステップをさらに備える。
【００１２】
画像処理装置は、移行ステップ後に、画像データを画像データ記憶部から出力させるためのパスワードを受け付けるログイン画面を表示させるステップをさらに備えていてもよい。
【発明の効果】
【００１３】
本発明によると、Ｆコード通信の機能を有する画像処理装置において省エネルギーモードからの復帰を迅速に行える。
【図面の簡単な説明】
【００１４】
【図１】画像処理装置の要部構成を示すブロック図である。
【図２】Ｆコードテーブルの一例を示す図である。
【図３】クライアントＰＣの要部構成を示すブロック図である。
【図４】画像処理装置における印刷の処理を示すフローチャートである。
【図５】クライアントＰＣにおいて受信メッセージを受信した場合の処理を示すフローチャートである。
【発明を実施するための形態】
【００１５】
１．第１実施形態
（１）画像処理装置の概要
以下、本実施形態における画像処理装置を例に挙げて説明する。画像処理装置１は、コピー機能、ファクシミリ通信機能、スキャナ機能及びネットワークプリンタ機能を有するいわゆる複合機である。画像処理装置１は、ネットワークを介して接続された第１クライアントＰＣ５１及び第２クライアントＰＣ７１と画像処理システムを構築する。図１を参照して、画像処理装置１の構成を説明する。図１は、本実施形態の画像処理装置の要部構成を示すブロック図である。
【００１６】
画像処理装置１は、ＣＰＵ１１、フラッシュＲＯＭ１３、第１ＳＤＲＡＭ１５及びＳＲＡＭ１７を備えている。画像処理装置１は、さらにファクシミリ通信部１９、表示・操作部２１、ＲＴＣ２３、ネットワークボード２５、スキャナ２７、プリンタ２９、ＡＳＩＣ３１、第２ＳＤＲＡＭ３３及び電力供給部３５等を備える。
【００１７】
また、画像処理装置１は、システムバス４１、第１ローカルバス４３及びシリアルバス４５等のバスを備えており、画像処理装置１内の各部はこれらのバスによって互いに接続されている。システムバス４１には、ＣＰＵ１１、フラッシュＲＯＭ１３、第１ＳＤＲＡＭ１５、ＳＲＡＭ１７、ファクシミリ通信部１９、表示・操作部２１、ＲＴＣ２３及びＡＳＩＣ３１が接続されている。第１ローカルバス４３には、ネットワークボード２５及びＡＳＩＣ３１が接続されている。ＡＳＩＣ３１とスキャナ２７及びプリンタ２９とは、シリアルバス４５によって互いに接続されている。
【００１８】
ＣＰＵ（Ｃｅｎｔｒａｌ  Ｐｒｏｃｅｓｓｉｎｇ  Ｕｎｉｔ）１１は、フラッシュＲＯＭ１３等に格納される各種プログラムを読み出して実行することによって、画像処理装置１を構成する各部を制御する。
【００１９】
ＣＰＵ１１には、通常モード及び省エネルギーモードが設定されていて、ＣＰＵ１１の制御のもと、画像処理装置１の状態は各モードの間を移行できる。通常モードとは、何らかの動作指示があった場合には、その動作指示に基づいて直ぐに処理を実行できる状態をいう。省エネルギーモードとは、表示・操作部２１を非表示状態とし、プリンタ２９における待機温度を下げた状態等とすることによって、通常モードの消費電力よりも消費電力が低い状態のことをいう。例えば、表示・操作部２１からの操作入力が一定時間ない場合又は画像データの入力が一定時間ない場合に、画像処理装置１は省エネルギーモードに移行される。
また、画像処理装置１が省エネルギーモードで動作中に、公衆回線網（ＰＳＴＮ：Ｐｕｂｌｉｃ  Ｓｕｂｓｃｒｉｂｅｒ  Ｔｅｌｅｐｈｏｎｅ  Ｎｅｔｗｏｒｋ）を介して、Ｆコードを含む通信手順信号を利用して画像データを受信し、受信した画像データに関する印刷メッセージをクライアントＰＣから受信する場合がある。この場合、本実施形態のＣＰＵ１１は、画像処理装置１を省エネルギーモードから復帰させる。すなわち、ＣＰＵ１１は、画像処理装置１を省エネルギーモードから直ぐにプリント処理を実行できる通常モードで移行させる。さらにＣＰＵ１１は、ログインパスワードなどの入力を受け付ける「ログイン画面」を表示・操作部２１を表示させるが、詳細は後述する。
【００２０】
フラッシュＲＯＭ（Ｒｅａｄ  Ｏｎｌｙ  Ｍｅｍｏｒｙ）１３は、ＣＰＵ１１に読み込まれる各種プログラムを記憶している。
【００２１】
第１ＳＤＲＡＭ（Ｓｔａｔｉｃ  Ｒａｎｄｏｍ  Ａｃｃｅｓｓ  Ｍｅｍｏｒｙ）１５は、予め登録された各種設定情報を記憶するＣＰＵ１１の主メモリであり、各種プログラムを実行するワークエリアとして機能する。なお、第１ＳＤＲＡＭ１５は、独自のバッテリに接続されていて、画像処理装置１の省エネルギーモードにおいても、電源の供給が確保されている。
【００２２】
ＳＲＡＭ（Ｓｔａｔｉｃ  Ｒａｎｄｏｍ  Ａｃｃｅｓｓ  Ｍｅｍｏｒｙ）１７は、短縮ダイヤル等の各種のユーザ設定及びエラー情報等を記憶可能である。さらにＳＲＡＭ１７は、Ｆコードテーブル１７１を保存している。Ｆコードテーブル１７１は、ファクシミリ通信においてサブアドレスを用いて行うＦコード通信に利用される登録情報を記憶したテーブルである。
Ｆコード通信は、ＩＴＵ−Ｔ勧告Ｔ．３０で規定されたサブアドレス（ＳＵＢ）信号、選択ポーリング（ＳＥＰ）信号及びパスワード（ＰＷＤ）信号等を含む通信手順信号を利用して通信する機能である。Ｆコード通信により、Ｆコード通信に対応する機種間において親展機能又は掲示板機能等の利用が可能となる。また本実施形態におけるＦコードとは、通信手順信号の一つであるＳＵＢ信号に含まれるサブアドレスのことである。
【００２３】
Ｆコードテーブル１７１は、例えば図２に示すようなデータテーブルである。図２は、Ｆコードテーブルの一例を示す図である。Ｆコードテーブル１７１には、「ＮＯ．」、「ボックス名」、「ＳＵＢ」、「ＩＤ」、「パスワード」、「ログインパスワード」、「宛先」及び「ＩＰアドレス」が対応付けられている。「ＮＯ．」には、レコードの番号が格納されている。「ボックス名」には、ファクシミリ受信の通知の配信先に関するユーザ名が登録されている。「ＳＵＢ」には、サブアドレスが登録され、メモリボックスを指定するために用いられる。「ＩＤ」には、ファクシミリ受信の通知の配信先を識別するユーザＩＤが登録されている。「パスワード」には、Ｆコード通信を実行するためのパスワードが登録されている。「ログインパスワード」には、ユーザＩＤに対応するユーザが画像処理装置１にログインするためのパスワードが登録されている。「宛先」には、ファクシミリ受信の通知の配信先のメールアドレス等が登録されている。「ＩＰアドレス」は、画像処理装置１がＦコードを使用して画像データを受信したことを直接パケットを送信して通知するために用いられる、ファクシミリ受信の通知の配信先に関するＩＰアドレスが登録されている。各欄に格納される情報は、Ｆコード機能を実行する前に、表示・操作部２１を介してユーザによって予め登録される。
【００２４】
図２のＦコードテーブル１７１では、ＮＯ．１の登録情報には、「ボックス名」として「第１クライアントＰＣ１」、「ＳＵＢ」として「１１１１」及び「ＩＤ」として「Ａ１」が登録されている。さらにＦコードテーブル１７１には、ＮＯ．１の登録情報には、パスワードとして「Ｂ１」、ログインパスワードとして「Ｃ１」、「宛先」としてメールアドレス「ＰＣ１＠ＸＸＸＸＸ」及び「ＩＰアドレス」として「１１．２２２．３３．００１」が登録されている。これは、第１クライアントＰＣ５１のユーザが利用する第２ＳＤＲＡＭ３３の第１メモリボックス３３１に関する情報を示す。また、ＮＯ．２の登録情報には、「ボックス名」として「第２クライアントＰＣ２」、「ＳＵＢ」として「２２２２」及び「ＩＤ」として「Ａ２」が登録されている。さらにＦコードテーブル１７１には、パスワードとして「Ｂ２」、ログインパスワードとして「Ｃ２」、「宛先」としてメールアドレス「ＰＣ２＠ＸＸＸＸＸ」及び「ＩＰアドレス」として「１１．２２２．３３．００２」が登録されている。これは、第２クライアントＰＣ７１のユーザが利用する第２ＳＤＲＡＭ３３の第２メモリボックス３３２に関する情報である。図２に示すＦコードテーブル１７１は一例であって、例えば「ＳＵＢ」の代わりに、選択ポーリング信号が登録されていてもよい。
なおＳＲＡＭ１７は、独自のバッテリに接続されていて、画像処理装置１の省エネルギーモードにおいても、電源の供給が確保されている。
【００２５】
ファクシミリ通信部１９は、公衆回線網（ＰＳＴＮ）に接続され、図示しない他のファクシミリ装置との間でファクシミリ通信を行う通信手段である。ファクシミリ通信部１９は、モデム１９１及びＮＣＵ（Ｎｅｔｗｏｒｋ  Ｃｏｎｔｒｏｌ  Ｕｎｉｔ）１９３を有する。
【００２６】
モデム１９１は、デジタル信号とアナログ信号を相互変換する変復調装置であり、ファクシミリ通信用のファクシミリモデムの機能を有する。モデム１９１は、ＮＣＵ１９３と直接接続されている。ＮＣＵ１９３は、公衆回線網（ＰＳＴＮ）に接続されており、電話回線を介して発呼及び着呼を含む通信を制御する。
【００２７】
本実施形態の画像処理装置１は、上述したＦコード通信の機能を有している。そしてファクシミリ通信部１９は、画像データをファクシミリ受信した際に通信手順信号の一つであるＳＵＢ信号を受信している場合には、ＳＵＢ信号よりＦコードとしてのサブアドレスを抽出する処理を行う。処理の詳細は後述する。
【００２８】
表示・操作部２１は、表示パネル、タッチセンサを有するタッチパネル及びハードキー等を備える。表示・操作部２１は、表示パネルによって画像を表示することで、画像処理装置１の動作状況及びエラーの発生等の情報をユーザに伝えると共に、ソフトキー及びハードキーを介してユーザからの操作を受け付けることができる。すなわち、ユーザは、表示・操作部２１を用いてコピー、スキャン、又はファクシミリ送信等の指示を入力することができる。
ＲＴＣ（Ｒｅａｌ  Ｔｉｍｅ  Ｃｌｏｃｋ）２３は、時計回路であり、画像処理装置１の電源が切られていても時刻を刻み続けることができる。
【００２９】
ネットワークボード２５は、ＬＡＮを介してネットワークと接続され、ＴＣＰ／ＩＰプロトコルに従って第１クライアントＰＣ５１、第２クライアントＰＣ７１及び他の機器との通信機能を実行する。
ネットワークボード２５は、ネットワーク制御部２５１を有する。ネットワーク制御部２５１は、第１クライアントＰＣ５１及び第２クライアントＰＣ７１との間の通信を実行する制御を行う。例えば、ネットワーク制御部２５１は、第１クライアントＰＣ５１から出力された画像データを受信し、又はＡＳＩＣ３１から転送されてきた画像データを第１クライアントＰＣ５１へと転送する処理を行う。
また、本実施形態のネットワーク制御部２５１は、Ｆコード通信による親展扱い等の画像データをファクシミリ受信した場合に、Ｆコードテーブル１７１を参照してＦコードに対応付けられたクライアントＰＣを特定する。そして、ネットワーク制御部２５１は、特定されたクライアントＰＣに対して、Ｆコード通信による親展扱い等の画像データを受信したことを通知する受信メッセージのパケットをＬＡＮを介して送信する処理を行う。又は、ネットワーク制御部２５１は、特定されたクライアントＰＣ宛に、Ｆコード通信による親展扱い等の画像データを受信したことを通知する電子メールを、図示しないメールサーバに送信する処理することができる。
【００３０】
スキャナ２７は、ＣＰＵ１１の制御の下、原稿から画像を読み取るスキャナ機能を実現する。スキャナ２７は、例えば、図示しないＣＣＤ（Ｃｈａｒｇｅ  Ｃｏｕｐｌｅｄ  Ｄｅｖｉｃｅ）等のイメージセンサ、ＡＦＥ（Ａｎａｌｏｇ  Ｆｒｏｎｔ  Ｅｎｄ）及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を有している。スキャナ２７によって読み取られた原稿の画像データは、ＡＦＥによってアナログ信号からデジタル信号に変換される。デジタル信号に変換された画像信号は、ＡＳＩＣによってシェーディング補正及びエッジ強調等の処理が行われ、２値化されて後述するＡＳＩＣ３１に入力される。
プリンタ２９は、ＣＰＵ１１の制御の下、スキャナ２７により原稿から読み取られた画像データ及びファクシミリ通信機能によって受信された画像データを用紙に印刷するプリント機能を実現する。またプリンタ２９は、ＣＰＵ１１の制御の下、ネットワークプリント機能によってＬＡＮを介して受信された画像データを用紙に印刷するプリント機能を実現する。
【００３１】
ＡＳＩＣ３１は、画像データに対して用紙に印刷するための画像処理を行う。ここで画像データとは、スキャナ２７により原稿から読み取られた画像データ、ファクシミリ通信機能によって受信された画像データ、及びネットワークプリント機能によって受信された画像データを含む。ＡＳＩＣ３１は、メモリコントロール部及びコーデックを有するチップセットである。
【００３２】
メモリコントロール部は、ユーザ設定に応じて、印字方向と用紙方向とを合わせるための画像データの回転処理及び画像データの縮小処理等を行う。コーデックは、画像データの符号化及び復号（デコード）を行う。
【００３３】
第２ＳＤＲＡＭ３３は、書き込み及び読み出しが可能なメモリであり、メインメモリとして機能する。例えば、スキャナ２７で読み取られた画像データは、第２ＳＤＲＡＭ３３に格納され、その後ユーザの指示によって、プリンタ２９によって印刷されたり、ファクシミリ通信部１９によってファクシミリ送信されたりする。
また、本実施形態の第２ＳＤＲＡＭ３３は、Ｆコードを利用して受信した親展扱い等の画像データを格納するための領域としての複数のメモリボックスを有している。ここでは、第２ＳＤＲＡＭ３３は、第１メモリボックス３３１及び第２メモリボックス３３２を有する。Ｆコードを利用した親展等の画像データがファクシミリ受信された場合は、受信した画像データは印刷されることなく指定されたメモリボックスに格納される。そして、表示・操作部２１からメモリボックスに対応したログインパスワードが入力されたときにメモリボックスに格納された画像データの印刷が可能となる。
【００３４】
電力供給部３５は、交流の商用電源を直流に変換し画像処理装置１へ供給する電源装置である。図示しない主電源をオンにすることによって画像処理装置１への電力の供給が開始される。電力供給部３５は、主電源がオンの状態では、ＣＰＵ１１の制御のもと、ＣＰＵ１１で設定された通常モード又は省エネルギーモードに応じた電力を画像処理装置１の各部に供給する。
【００３５】
本実施形態の画像処理装置１は、上記のような構成を備えており、ファクシミリ送信時には、原稿の画像データがスキャナ２７で読み取られ、ＡＳＩＣ３１で圧縮されて第２ＳＤＲＡＭ３３に格納される。その後格納された画像データが第２ＳＤＲＡＭ３３から読み出されてモデム１９１で変調され、ＮＣＵ１９３からＰＳＴＮを通して通信相手先に送信される。また、ファクシミリ受信時において特に配信設定がなされていない場合には、例えば受信した画像データはモデム１９１で復調され第２ＳＤＲＡＭ３３に蓄積された後、ＡＳＩＣ３１で復号されてプリンタ２９により印刷される。なお、ファクシミリ受信した画像データにＦコードが付与されて親展扱い等の配信設定がされている場合における画像処理装置１の処理については後に詳述する。
【００３６】
（２）クライアントＰＣの要部構成
次に、図３を参照して、ＬＡＮを介して画像処理装置１と接続され、ネットワークボード２５と通信を行うクライアントＰＣの要部構成について説明する。図３は、クライアントＰＣの要部構成を示すブロック図である。第１クライアントＰＣ５１及び第２クライアントＰＣ７１は同じ構成を有するので、以下、第１クライアントＰＣ５１を例に挙げて説明する。
図３に示すとおり、第１クライアントＰＣ５１は、ＣＰＵ５３、ＲＯＭ５５、ＲＡＭ５７、ＨＤＤ５９、表示部６１、操作部６３、通信インターフェース６５及びこれらを接続するバス６７を有する。
【００３７】
ＣＰＵ５３は、ＲＯＭ５５に記録されている制御プログラムを実行し、第１クライアントＰＣ５１全体の動作を制御する。ＲＯＭ５５は、制御プログラムや予め設定されているパラメータ等を格納する。ＲＡＭ（Ｒａｎｄｏｍ  Ａｃｃｅｓｓ  Ｍｅｍｏｒｙ）５７は、プログラムを実行するための作業領域として機能する。ＨＤＤ（Ｈａｒｄ  Ｄｉｓｋ  Ｄｒｉｖｅ）５９は、記録媒体を内蔵する記憶装置であり、実行するアプリケーションプログラムや画像メモリを格納する。
本実施形態のＣＰＵ５３は、Ｆコード通信による親展扱い等の画像データの受信を通知する受信メッセージのパケットを受信し、画像データの印刷指示を受け付ける入力画面（ポップアップ）を表示する専用アプリケーションをＲＡＭ５７に常駐させている。また、この専用アプリケーションは、ユーザから画像データの印刷の指示を受けた場合、印刷メッセージのパケットを画像処理装置１に送信する。
【００３８】
表示部６１は、液晶ディスプレイ等の表示装置であり、第１クライアントＰＣ５１の動作状態を表示し、送信する原稿の画像データ等を表示する。本実施形態の表示部６１には、上述した画像データの印刷指示を受け付けるための入力画面が表示される。
操作部６３は、例えばキーボードであって、ユーザから操作の指示を受け付ける。通信インターフェース（図中、Ｉ／Ｆ）３９は、画像処理装置１と第１クライアントＰＣ５１との間のデータの送受信を行う。
【００３９】
（３）Ｆコードを利用した画像データをファクシミリ受信した場合の印刷処理
次に、省エネルギーモードで動作中の画像処理装置１が、図示しない他のファクシミリ装置からＰＳＴＮを介してＦコードを利用して親展扱いの画像データをファクシミリ受信した場合に行う印刷の処理について、図４を参照して説明する。図４は、画像処理装置における印刷の処理を示すフローチャートである。
【００４０】
上述のとおり、画像処理装置１では、第２ＳＤＲＡＭ３３内に親展扱いの画像データが格納される複数のメモリボックスが備えられている。また、各メモリボックスに関連する情報として、「ＮＯ．」、「ボックス名」、「ＳＵＢ」、「ＩＤ」、「パスワード」、「ログインパスワード」、「宛先」及び「ＩＰアドレス」がＦコードテーブル１７１に予め登録されている。
なお、送信側のファクシミリ装置では、Ｆコードを利用してＰＳＴＮを介して画像処理装置１に親展扱いの画像データを送信する場合、画像データだけでなくＰＷＤ信号および画像データが格納されるメモリボックスを指定するためサブアドレスを含むＳＵＢ信号を送信する。
以下では、画像処理装置１が省エネルギーモードで動作中のときに、Ｆコードを利用して、図示しないファクシミリ装置から、ＰＳＴＮを介してサブアドレス「１１１１」を含むＳＵＢ信号とともに画像データを受信した例を挙げて説明する。
【００４１】
まず、画像データをファクシミリ受信した画像処理装置１のファクシミリ通信部１９は、通信手順信号の一つであるＳＵＢ信号を受信したかどうか判断する（ステップＳ１１）。ＳＵＢ信号を受信した場合は（ステップＳ１１でＹｅｓ）、ファクシミリ通信部１９は、ＳＵＢ信号からＦコードとしてのサブアドレスを抽出する（ステップＳ１３）。なお、このとき、受信された画像データは、Ｆコードのサブアドレスが指定するメモリボックスに格納される。ここでは、サブアドレスは「１１１１」であるため、画像データは第１メモリボックス３３１に格納される。
【００４２】
その後、ネットワーク制御部２５１は、Ｆコードテーブル１７１を参照して、抽出されたＦコードとしてのサブアドレスに対応付けられたクライアントＰＣの宛先を取得する（ステップＳ１３）。ここでは、抽出されたサブアドレスは「１１１１」であるので、ネットワーク制御部２５１は、Ｆコードテーブル１７１を参照して、抽出したサブアドレスに対応付けられたクライアントＰＣとして第１クライアントＰＣ５１を特定する。また、ネットワーク制御部２５１は、Ｆコードテーブル１７１において第１クライアントＰＣに対応付けられた「ＩＰアドレス」を参照して、「１１１．２２２．３３．００１」を取得する。
【００４３】
第１クライアントＰＣ５１のＩＰアドレスを取得した後、ネットワーク制御部２５１は、第１クライアントＰＣ５１に対してＦコード通信による親展扱いの画像データのファクシミリ受信を通知する受信メッセージを送信する（ステップＳ１７）。具体的に、ネットワーク制御部２５１は、第１クライアントＰＣ５１のＩＰアドレス「１１１．２２２．３３．００１」に対して受信メッセージを通知する。
その後、受信メッセージを受信した第１クライアントＰＣ５１では、ユーザから印刷の指示を受け付ける処理及び印刷メッセージを画像処理装置１に送信する処理が実行されるが、詳細は後述する。なお、印刷の指示を行った第１クライアントＰＣ５１のユーザは、その後に画像処理装置１まで出向き、「ＩＤ」及び「ログインパスワード」を入力することにより画像データの印刷を実行させる。
【００４４】
次に、ネットワーク制御部２５１は、第１クライアントＰＣ５１から印刷メッセージを受信したかどうかを判断する（ステップＳ１９）。印刷メッセージを受信した場合は（ステップＳ１９でＹｅｓ）、ＣＰＵ１１は、省エネルギーモードを解除する（ステップＳ２１）。具体的には、印刷メッセージを受け付けた場合、ＣＰＵ１１は、省エネルギーモードから直ぐに印刷処理を実行できる通常モードに画像処理装置１を移行させる。
また、ＣＰＵ１１は、「ログイン画面」を表示・操作部２１に表示させる（ステップＳ２３）。「ログイン画面」とは、第１メモリボックス３３１に格納された画像データを出力させるために求められる「ログインパスワード」等を受け付けるための画面である。本実施形態では、「ログイン画面」によって「ログインパスワード」及び「ＩＤ」の入力が受け付けられる。
【００４５】
その後、ＣＰＵ１１は、「ログイン画面」を介してユーザから「ＩＤ」及び「ログインパスワード」が入力されたかどうかを判断する（ステップＳ２５）。すなわち、画像処理装置１まで出向いた第１クライアントＰＣ５１のユーザが、「ログイン画面」に「ＩＤ」及び「ログインパスワード」を入力したかどうかを判断する。「ＩＤ」及び「ログインパスワード」の入力があった場合には、ＣＰＵ１１は入力された「ＩＤ」及び「ログインパスワード」と、Ｆコードテーブル１７１に登録された「ＩＤ」及び「ログインパスワード」とを照会する（ステップＳ２７）。入力された「ＩＤ」及び「ログインパスワード」と、Ｆコードテーブル１７１に登録された「ＩＤ」及び「ログインパスワード」とが一致している場合は（ステップＳ２９でＹｅｓ）、ＣＰＵ１１は、プリンタ２９を制御し、画像データの印刷を実行させる（ステップＳ３１）。すなわち、第１メモリボックス３３１に保存された画像データが読み出されＡＳＩＣ３１で復号された後に、プリンタ２９により画像データが印刷される。一方、入力された「ＩＤ」及び「ログインパスワード」と、Ｆコードテーブル１７１に登録された「ＩＤ」及び「ログインパスワード」とが一致していない場合は（ステップＳ２９でＮｏ）、ＣＰＵ１１は、ステップＳ２５へ戻る。
【００４６】
（４）受信メッセージを受信した場合のクライアントＰＣの処理
次に、図４のステップＳ１７にて送信された受信メッセージを受信した第１クライアントＰＣ５１の処理について、図５を参照して説明する。図５は、クライアントＰＣにおいて受信メッセージを受信した場合の処理を示すフローチャートである。
【００４７】
第１クライアントＰＣ５１は、受信メッセージを受信すれば（ステップＳ４１でＹｅｓ）、受信した受信メッセージを表示部６１に表示させる（ステップＳ４３）。具体的には、ＲＡＭ５７に常駐させた専用アプリケーションによって、画像データの印刷指示を受け付ける入力画面が表示部６１に表示される。
次に、第１クライアントＰＣ５１は、画像データの印刷が指示されたかどうかを判断する（ステップＳ４５）。例えば、入力画面を見た第１クライアントＰＣ５１のユーザは、操作部６３を介して入力画面に設けられた印刷ボタンをクリックすることにより、印刷の指示を行うことができる。
印刷の指示を受け付けた場合は（ステップＳ４５でＹｅｓ）、ＲＡＭ５７に常駐させた専用アプリケーションによって第１クライアントＰＣ５１から画像処理装置１に対して印刷メッセージが送信される（ステップＳ４７）。
【００４８】
上記のような画像処理装置１及び第１クライアントＰＣ５１を備えることにより、省エネルギーモードで動作中の画像処理装置１がＦコードを利用して親展扱いの画像データをファクシミリ受信しても、ユーザは待機することなく直ちに印刷の動作を行える。
すなわち、第１クライアントＰＣ５１から印刷メッセージを受信した時点で、画像処理装置１は省エネルギーモードに移行される。従って、第１クライアントＰＣ５１のユーザが画像処理装置１に出向いた際には、画像処理装置１は省エネルギーモードから復帰しているので、ユーザを待たせることなく画像処理装置１はユーザから操作指示を受け付け、画像データの出力動作を行うことができる。
また、画像処理装置１では、第１クライアントＰＣ５１から印刷メッセージを受信した場合に、「ログイン画面」を表示・操作部２１に表示させる。従って、表示・操作部２１に印刷を受け付ける印刷受け付け画面が表示されている状態と比べて、ユーザは直ちに「ログイン画面」を介して「ＩＤ」及び「ログインパスワード」を入力できるので、利便性がさらに向上される。
【００４９】
（５）特徴
上記実施形態は、下記のように表現可能である
【００５０】
（Ａ）画像処理装置１は、第１クライアントＰＣ５１とネットワークを介して接続された画像処理装置である。画像処理装置１は、ファクシミリ通信部１９と、ＳＲＡＭ１７と、第２ＳＤＲＡＭ３３と、ネットワーク制御部２５１と、ＣＰＵ１１と、を備える。
ファクシミリ通信部１９は、ＰＳＴＮを介してＦコードを含む通信手順信号を利用して画像データを受信し、通信手順信号の一つであるＳＵＢ信号からＦコードとしてのサブアドレスを抽出する。ＳＲＡＭ１７は、Ｆコードと第１クライアントＰＣ５１とを対応付けたＦコードテーブル１７１を格納している。第２ＳＤＲＡＭ３３は、画像データを格納する。ネットワーク制御部２５１は、ファクシミリ通信部１９によって抽出されたサブアドレスに対応する第１クライアントＰＣ５１をＦコードテーブル１７１に基づいて特定し、特定した第１クライアントＰＣ５１に画像データの受信を通知する。ＣＰＵ１１は、画像データの受信を通知した後に第１クライアントＰＣ５１から画像データの出力の指示を受け付ければ、省エネルギーモードを通常モードに変更する。
【００５１】
（Ｂ）画像処理装置１は、表示・操作部２１をさらに備えていてもよい。ここでＣＰＵ１１は、省エネルギーモードを通常モードに変更した後に、画像データを第２ＳＤＲＡＭ３３から出力させるためのパスワードを受け付けるログイン画面を表示・操作部２１に表示させる。
【００５２】
（Ｃ）画像処理システムにおける制御方法は、第１クライアントＰＣ５１と、第１クライアントＰＣ５１とネットワークを介して接続された画像処理装置１とを備える画像処理システムにおける制御方法である。
画像処理装置１は、ＰＳＴＮを介してＦコードを含む通信手順信号を利用して画像データを受信するステップと、受信した画像データを画像データ記憶部に格納するステップと、通信手順信号の一つであるＳＵＢ信号からＦコードとしてのサブアドレスを抽出するステップと、備える。さらに画像処理装置１は、Ｆコードテーブル１７１を参照して抽出したサブアドレスと対応する第１クライアントＰＣ５１を特定するステップと、特定された第１クライアントＰＣ５１に画像データの受信を示す受信メッセージを通知するステップと、を備える。第１クライアントＰＣ５１は、受信した受信メッセージを報知するステップと、受信メッセージによって通知された画像データの出力の指示を受け付けるステップと、画像データの出力の指示を受け付ければ画像データの出力の指示を画像処理装置１に通知するステップと、備える。ここで、画像処理装置１は、第１クライアントＰＣ５１から画像データの出力の指示を受け付ければ、省エネルギーモードから通常モードへ移行するステップをさらに備える。
【００５３】
（Ｄ）画像処理装置１は、移行ステップ後に、画像データを第２ＳＤＲＡＭ３３から出力させるためのパスワードを受け付けるログイン画面を表示させるステップをさらに備える。
【００５４】
（６）他の実施形態
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組み合せ可能である。
【００５５】
（ａ）上記では、Ｆコードテーブル１７１の「ＩＰアドレス」に、クライアントＰＣのＩＰアドレスが登録されており、特定されたクライアントＰＣに受信メッセージを送信する例を挙げた。しかし、特定されたクライアントＰＣに受信メッセージを通知できれば、上記の例に限定されない。例えば、Ｆコードテーブル１７１のに登録されたクライアントＰＣのメースアドレスを宛先として電子メールを送信して、受信メッセージをユーザに通知してもよい。
【００５６】
（ｂ）図４におけるステップＳ２３で表示される「ログイン画面」には、印刷の中止を指示するキャンセルボタンが設けられていてもよい。そしてキャンセルボタンの押下により、表示・操作部２１から「ログイン画面」が消去され、印刷を受け付ける印刷受け付け画面が表示されてもよい。
このようにキャンセルボタンが設けられることにより、例えば「ログイン画面」の表示後一定の時間が経過しても「ＩＤ」及び「ログインパスワード」の入力がなされない場合には、キャンセルボタンの押下により、「ログイン画面」をリセットできる。従って、他のユーザが画像処理装置１を使用できるようになる。
【産業上の利用可能性】
【００５７】
Ｆコードを利用してファクシミリ通信する画像処理装置に広く適用できる。
【符号の説明】
【００５８】
１      画像処理装置
１１      ＣＰＵ（画像処理装置）
１３      フラッシュＲＯＭ
１５      第１ＳＤＲＡＭ
１７      ＳＲＡＭ
１７１    Ｆコードテーブル
１９      ファクシミリ通信部
２１      表示・操作部
２３      ＲＴＣ
２５      ネットワークボード
２５１    ネットワーク制御部
２７      スキャナ
２９      プリンタ
３１      ＡＳＩＣ
３３      第２ＳＤＲＡＭ
３５      電力供給部
３３１    第１メモリボックス
３３２    第２メモリボックス
５１      第１クライアントＰＣ
５３      ＣＰＵ（クライアントＰＣ）
５５      ＲＯＭ
５７      ＲＡＭ
５９      ＨＤＤ
６１      表示部
６３      操作部
６５      通信インターフェース
７１      第２クライアントＰＣ
【図１】
2012147241.tif 000003
【図２】
2012147241.tif 000004
【図３】
2012147241.tif 000005
【図４】
2012147241.tif 000006
【図５】
2012147241.tif 000007